(57)【要約】【課題】  撮像手段の撮像方向が、遠距離撮影に適している表示手段の表示方向と略同一方向、又は近距離撮影に適している略反対方向のいずれか一方から他方に切換わったときに、この撮像手段が有する自動焦点機能の焦点調整に要する時間を短くすることができる撮像機能付き携帯端末装置を提供する。【解決手段】  撮像手段３２が第１又は第２の撮像方向のいずれに向いているかを検出する撮像方向検出手段５４を有して、撮像手段が第１の撮像方向に向いたことを検出した場合には、フォーカスレンズ３８が第１の所定位置まで移動した後に至近の撮影距離に対応する位置の方向に移動を開始して焦点の調節を行ない、撮像手段が第２の撮像方向に向いたことを検出した場合には、フォーカスレンズが第２の所定位置まで移動した後に無限遠の撮影距離に対応する位置の方向に移動を開始して焦点の調節を行なうようにした。【選択図】      図２
2005215480.tif 000002
【特許請求の範囲】
【請求項１】
フォーカスレンズが撮像軸上を移動することにより自動的に焦点の調節を行なう自動焦点機能を有する撮像手段と、
前記撮像手段が映す映像又は／及び撮影した画像を出力する表示手段とを備え、
前記撮像手段の撮像方向が、前記表示手段の表示方向と略同一方向である第１の撮像方向、又はこの第１の撮像方向と略反対方向である第２の撮像方向のいずれかに切換えることができる撮像機能付き携帯端末装置であって、
前記撮像手段が、前記第１の撮像方向又は第２の撮像方向のいずれに向いているかを検出する撮像方向検出手段を有して、
前記撮像方向検出手段により前記撮像手段が前記第１の撮像方向に向いたことを検出した場合には、前記フォーカスレンズが第１の所定位置まで移動した後にこの第１の所定位置から至近の撮影距離に対応する位置の方向に移動を開始するか、又は至近の撮影距離に対応する位置まで移動した後にこの至近の撮影距離に対応する位置から第１の所定位置の方向に移動を開始して焦点の調節を行ない、
前記撮像方向検出手段により前記撮像手段が前記第２の撮像方向に向いたことを検出した場合には、前記フォーカスレンズが第２の所定位置まで移動した後にこの第２の所定位置から無限遠の撮影距離に対応する位置の方向に移動を開始するか、又は無限遠の撮影距離に対応する位置まで移動した後にこの無限遠の撮影距離に対応する位置から第２の所定の位置の方向に移動を開始して焦点の調節を行なうようにしたことを特徴とする撮像機能付き携帯端末装置。
【請求項２】
前記撮像手段は、ズームレンズが撮像軸上を移動して焦点距離を調節するズーム機能を備えて、
前記撮像方向検出手段により前記撮像手段の撮像方向が前記第１の撮像方向に向いたことを検出した場合には、前記ズームレンズが近距離撮影に適した所定の近距離撮影用位置に移動してから、前記フォーカスレンズによる焦点の調節が行なわれ、
前記撮像方向検出手段により前記撮像手段の撮像方向が前記第２の撮像方向に向いたことを検出した場合には、前記ズームレンズが遠距離撮影に適した所定の遠距離撮影用位置に移動してから、前記フォーカスレンズによる焦点の調節が行なわれるようにした請求項１に記載の撮像機能付き携帯端末装置。
【請求項３】
前記ズームレンズが、前記近距離撮影用位置と前記遠距離撮影用位置のいずれかにのみ切換わるようにした請求項２に記載の撮像機能付き携帯端末装置。
【請求項４】
前記第１の所定位置は、撮影距離が１ｍの近傍であるときに対応する前記フォーカスレンズの位置であって、
前記第２の所定位置は、撮影距離が２ｍの近傍であるときに対応する前記フォーカスレンズの位置である請求項１ないし請求項３のいずれかに記載の撮像機能付き携帯端末装置。
【発明の詳細な説明】
【技術分野】
【０００１】
本発明は、自動焦点機能を有する撮像手段と、この撮像手段が映す映像又は／及び撮影した画像を出力する表示手段とを備えて、撮像手段の撮像方向を表示手段の表示方向と略同一方向又は略反対方向のいずれかに切換えることができる撮像機能付き携帯端末装置に関するものである。
【背景技術】
【０００２】
従来において、ＣＣＤ（Ｃｈａｒｇｅ  Ｃｏｕｐｌｅｄ  Ｄｅｖｉｃｅ）等の撮像素子を用いた撮像手段、及びＬＣＤ（液晶ディスプレイ）等の表示手段を備えて、この表示手段が撮像手段のファインダーとして機能するようになっている撮像機能付き携帯端末装置があった。
【０００３】
また、図３に示すように、撮像手段４を内蔵する筐体６が装置本体８に回動可能に連結されていることにより、撮像手段４の撮像方向が、装置本体８に備えられている表示手段１０の表示方向と略同一方向（図３中、矢印Ａの方向）、又は表示方向と略反対方向（図３中、矢印Ｂの方向）のいずれかに切換わるようになっている撮像機能付き携帯端末装置２があった（例えば、特許文献１参照）。
【０００４】
この撮像機能付き携帯端末装置２において、撮像方向を表示手段１０の表示方向と略同一方向（図３中、矢印Ａの方向）にした場合には、ユーザーは表示手段１０を見ながらユーザー自身を撮影するようになるので、近距離撮影が適している。また、撮像方向を表示手段１０の表示方向と略反対方向（図３中、矢印Ｂの方向）にした場合には、ユーザーはその視線を撮像方向と略一致させて撮影することができるので、遠距離撮影が適している。
【０００５】
このため、この撮像機能付き携帯端末装置２は、撮像方向が表示手段１０の表示方向と略反対方向（矢印Ｂの方向）を向いている状態から、表示方向と略同一方向（矢印Ａの方向）を向く状態に切換えたときに、撮像手段４における不図示の撮像素子とレンズの間の焦点距離を切換えるための切換ノブ１２が自動的に移動して、遠距離撮影用の焦点距離から、近距離撮影用の焦点距離に自動的に切換わるようになっていた。
【０００６】
また、逆に、撮像方向が表示手段１０の表示方向と略同一方向を向いている状態から、表示方向と略反対方向を向く状態に切換えたときには、切換ノブ１２を手動により元の位置に戻すことができるようになっていた。
【０００７】
しかしながら、この撮像機能付き携帯端末装置２における撮像素子とレンズとの間の焦点距離は、撮像方向を切換えたときに、遠距離撮影と近距離撮影のそれぞれに対応する所定の焦点距離にしか切換わらないようになっているため、被写体との撮影距離に対応して調節されるようにはなっていなかった。そのため、被写体との撮影距離に対応して焦点調整をする自動焦点機能を備えるようにすることが望まれていた。
【０００８】
一方、図示しないが、専用機としての撮像装置やビデオカメラには、フォーカスレンズが撮像軸上で移動して自動的に焦点調節を行なう自動焦点機能（オートフォーカス機能）を備えていて、この自動焦点機能が近距離撮影でも利用することができるように、フォーカスレンズの移動範囲が近距離撮影に対応する分だけ長くなっているものがあった。
【０００９】
しかしながら、フォーカスレンズの移動範囲が長くなると、焦点調整に要する時間が長くなり、自動焦点機能の応答性が悪くなってしまう。そのため、ユーザーの設定操作によりフォーカスレンズの移動範囲が短くなるように制限して、自動焦点機能の応答性を向上させるようにした自動焦点装置があった（例えば、特許文献２参照）。
【００１０】
また、このような特許文献２の自動焦点装置とは別に、フォーカスレンズの移動範囲を第１の領域と第２の領域に分割すると共に、ユーザーの操作によりフォーカスレンズが、第１の領域内で移動する設定、第２の領域内で移動する設定、又は第１と第２の領域の両方で移動する設定のいずれかに切換えることができるようにして、フォーカスレンズの移動範囲を制限し、自動焦点機能の応答性を向上させるようにした自動焦点装置があった（例えば、特許文献３参照）。
【００１１】
また、前記特許文献２及び特許文献３の自動焦点装置とは別に、焦点調節のためにフォーカスレンズが移動を行なう前における待機時の位置を、焦点調節の移動により停止する頻度が高い位置の近傍にしておくことにより、焦点調節の際の移動距離を短くして、自動焦点機能の応答性を向上させるようにした自動焦点装置があった（例えば、特許文献４参照）。
【特許文献１】特開２００３−５０１７号公報
【特許文献２】特開平８−１３６７９９号公報
【特許文献３】特開平４−４５４３２号公報
【特許文献４】特開平３−１３０７３号公報
【発明の開示】
【発明が解決しようとする課題】
【００１２】
上記のように、前記特許文献１のような撮像方向を切換えることができる撮像機能付き携帯端末装置について、その撮像手段に自動焦点機能を備えるようにすることが望まれているが、近距離撮影での焦点調節が行なえるようにフォーカスレンズの移動範囲を長くする必要があるため、焦点調整に要する時間が長くなり、自動焦点機能の応答性が悪くなってしまう。
【００１３】
このため、このような撮像方向を切換えることができる撮像機能付き携帯端末装置の撮像手段について、前記特許文献２のような自動焦点装置をそのまま搭載して自動焦点機能の応答性を向上させようとすると、ユーザーが、撮像方向ごとに、フォーカスレンズの移動範囲を短く制限するための設定を行なわなければならないため、煩わしいという問題があった。
【００１４】
また、前記特許文献３のような自動焦点装置をそのまま搭載して自動焦点機能の応答性を向上させようとすると、撮像方向を切換える度に、フォーカスレンズがいずれの領域内で移動するのかについて設定する操作を行なわなければならないため、操作が煩雑になるという問題があった。
【００１５】
また、前記特許文献４のような自動焦点装置をそのまま搭載して自動焦点機能の応答性を向上させようとすると、撮像方向を遠距離撮影に適している表示手段の表示方向と略同一方向にしたときと、近距離撮影に適している表示手段の表示方向と略反対方向にしたときでは、フォーカスレンズが停止する頻度の高い位置は異なる。そのため、撮像方向が表示手段の表示方向と略同一方向、又は略反対方向のいずれか一方になったときにおけるフォーカスレンズの待機の位置は、他方の撮像方向になったときの待機の位置としては不適切なものになってしまうという問題があった。
【００１６】
そこで本発明は、上記問題点に鑑みて、撮像手段の撮像方向が、遠距離撮影に適している表示手段の表示方向と略同一方向、又は近距離撮影に適している略反対方向のいずれか一方から他方に切換わったときに、この撮像手段が有する自動焦点機能の焦点調整に要する時間を短くすることができる撮像機能付き携帯端末装置を提供することを課題とするものである。
【課題を解決するための手段】
【００１７】
上記課題を解決するために本発明は、
フォーカスレンズが撮像軸上を移動することにより自動的に焦点の調節を行なう自動焦点機能を有する撮像手段と、
前記撮像手段が映す映像又は／及び撮影した画像を出力する表示手段とを備え、
前記撮像手段の撮像方向が、前記表示手段の表示方向と略同一方向である第１の撮像方向、又はこの第１の撮像方向と略反対方向である第２の撮像方向のいずれかに切換えることができる撮像機能付き携帯端末装置であって、
前記撮像手段が、前記第１の撮像方向又は第２の撮像方向のいずれに向いているかを検出する撮像方向検出手段を有して、
前記撮像方向検出手段により前記撮像手段が前記第１の撮像方向に向いたことを検出した場合には、前記フォーカスレンズが第１の所定位置まで移動した後にこの第１の所定位置から至近の撮影距離に対応する位置の方向に移動を開始するか、又は至近の撮影距離に対応する位置まで移動した後にこの至近の撮影距離に対応する位置から第１の所定位置の方向に移動を開始して焦点の調節を行ない、
前記撮像方向検出手段により前記撮像手段が前記第２の撮像方向に向いたことを検出した場合には、前記フォーカスレンズが第２の所定位置まで移動した後にこの第２の所定位置から無限遠の撮影距離に対応する位置の方向に移動を開始するか、又は無限遠の撮影距離に対応する位置まで移動した後にこの無限遠の撮影距離に対応する位置から第２の所定の位置の方向に移動を開始して焦点の調節を行なうようにしたことを特徴とするものである。
【００１８】
また、本発明の撮像機能付き携帯端末装置は、
前記撮像手段は、ズームレンズが撮像軸上を移動して焦点距離を調節するズーム機能を備えて、
前記撮像方向検出手段により前記撮像手段の撮像方向が前記第１の撮像方向に向いたことを検出した場合には、前記ズームレンズが近距離撮影に適した所定の近距離撮影用位置に移動してから、前記フォーカスレンズによる焦点の調節が行なわれ、
前記撮像方向検出手段により前記撮像手段の撮像方向が前記第２の撮像方向に向いたことを検出した場合には、前記ズームレンズが遠距離撮影に適した所定の遠距離撮影用位置に移動してから、前記フォーカスレンズによる焦点の調節が行なわれるようにすることができる。
【００１９】
また、本発明の撮像機能付き携帯端末装置は、
前記ズームレンズが、前記近距離撮影用位置と前記遠距離撮影用位置のいずれかにのみ切換わるようにすることができる。
【００２０】
また、本発明の撮像機能付き携帯端末装置は、
前記第１の所定位置は、撮影距離が１ｍの近傍であるときに対応する前記フォーカスレンズの位置であって、
前記第２の所定位置は、撮影距離が２ｍの近傍であるときに対応する前記フォーカスレンズの位置であるようにすることができる。
【発明の効果】
【００２１】
このような本発明の撮像機能付き携帯端末装置によれば、撮像手段の撮像方向が、遠距離撮影に適している表示手段の表示方向と略同一方向、又は近距離撮影に適している略反対方向のいずれか一方から他方に切換わったときに、この撮像手段が有する自動焦点機能の焦点調整に要する時間を短くすることができる。
【発明を実施するための最良の形態】
【００２２】
以下、本発明に係る撮像機能付き携帯端末装置の実施の形態について、図面に基づいて具体的に説明する。
図１及び図２は、本発明の一実施の形態に係る撮像機能付き携帯電話機２０（撮像機能付き携帯端末装置に相当）について説明するために参照する図である。
【００２３】
図１に示すように、本実施の形態に係る撮像機能付き携帯電話機２０は、撮影時にファインダーとして機能する表示手段２２を有する第１筐体２４、及び操作手段２６を有する第２筐体２８が折り畳み自在に連結されており、第１筐体２４における第２筐体２８と反対側の端部２４ａに、この第１筐体２４に回動自在に連結される第３筐体３０を備えている。そして、この第３筐体は、その内部に撮像手段３２を備えている。
【００２４】
撮像手段３２は、その撮像方向が表示手段２２の表示方向と略同一方向（図１中、矢印Ｃの方向）を向いている状態から、矢印Ｄの方向に略１８０°回動させて、表示手段２２の表示方向と略反対方向（図１中、矢印Ｅの方向）に向けることができるようになっている。
【００２５】
図２は、この撮像機能付き携帯電話機２０の構成を示す図である。第３筐体３０の内部に配置される撮像手段３２は、自動焦点機能及びズーム機能を備えていて、その光学系が３つのレンズ群で構成されているが、それぞれのレンズ群を単一のレンズとして模式的に表現し、固定レンズ３４、ズームレンズ３６、フォーカスレンズ３８ということとする。
【００２６】
また、撮像手段３２はＣＣＤ等の撮像素子４０を備えていて、この撮像手段３２に入射した光は、固定レンズ３４、ズームレンズ３６、フォーカスレンズ３８の順に通過して、撮像素子４０に取込まれるようになっている。
【００２７】
また、撮像手段３２は、モーター４２，４４により回転駆動するリードスクリュー４６，４８を備えている。そして、ズームレンズ３６及びフォーカスレンズ３８のそれぞれは、リードスクリュー４６，４８が回転したときに、その軸線方向に移動するリードスクリュー軸受４６ａ，４８ａに固定されており、このリードスクリュー軸受４６ａ，４８ａと共に撮像軸上を移動するようになっている。
【００２８】
フォーカスレンズ３８は、撮像軸上の所定の範囲内を移動して、焦点の調節を行なうようになっている。この所定の範囲における撮像素子４０側の終端が、至近の撮影距離に対応して焦点を調節したときの位置になっていて、ズームレンズ３６側の終端が無限遠の撮影距離に対応して焦点を調節したときの位置になっている。
【００２９】
そして、この所定の範囲における撮像素子４０側の終端には至近側レンズ位置検出手段５０ａが設けられ、ズームレンズ３６側の終端には無限遠側レンズ位置検出手段５０ｂが設けられている。
【００３０】
この至近側レンズ位置検出手段５０ａは、フォーカスレンズ３８が撮像素子４０側の終端まで移動してきたときに、その旨の信号を、レンズ位置検出回路５３を経てＣＰＵ５６（Ｃｅｎｔｒａｌ  Ｐｒｏｃｅｓｓｉｎｇ  Ｕｎｉｔ）に出力するようになっている。また、無限遠側レンズ位置検出手段５０ｂも同様に、フォーカスレンズ３８がズームレンズ３６側の終端まで移動してきたときに、その旨の信号を出力するようになっている。
【００３１】
また、ズームレンズ３６は、撮像軸上において、フォーカスレンズ３８側の近距離撮影に適した近距離撮影用位置と、固定レンズ３４側の遠距離撮影に適した遠距離撮影用位置で挟まれる所定の範囲内で移動することができるようになっている。ズームレンズ３６が、近距離撮影用位置に移動すると広角になり、遠距離撮影用位置に移動すると望遠になる。
【００３２】
そして、近距離撮影用位置には、近距離撮影用位置検出手段５２ａが設けられ、遠距離撮影用位置には、遠距離撮影用位置検出手段５２ｂが設けられている。この近距離撮影用位置検出手段５２ａは、ズームレンズ３６が近距離撮影用位置まで移動してきたときに、その旨の信号を、レンズ位置検出回路５３を経てＣＰＵ５６に出力するようになっている。また、遠距離撮影用位置検出手段５２ｂも同様に、ズームレンズ３６が遠距離撮影用位置まで移動してきたときに、その旨の信号を出力するようになっている。
【００３３】
また、撮像機能付き携帯電話機２０は、その第３筐体３０を回動して撮像方向が切換えられた場合には、撮像方向検出手段５４がこれを検出して、その旨の信号をＣＰＵ５６に出力するようになっている。
【００３４】
すなわち、この撮像方向検出手段５４は、第３筐体３０が回動することにより、撮像手段２２の撮像方向が、表示手段２２の表示方向と略同一方向（図１中の矢印Ｃの方向）、又は表示方向と略反対方向（矢印Ｅの方向）を向いたときに検出動作を行なうようになっている。このような撮像方向検出手段５４としては、電気的な導通接点、磁気センサー、光学センサー又は機械的スイッチ等を用いることができる。
【００３５】
また、図２に示すように、撮像手段３２の撮像素子４０から出力される信号は、Ａ／Ｄ変換回路５８、ＤＳＰ６０（Ｄｉｇｉｔａｌ  Ｓｉｇｎａｌ  Ｐｒｏｃｅｓｓｏｒ）、信号処理回路６２を経て、ＣＰＵ５６及びメモリ６４に送信されるようになっている。メモリ６４は、撮影の操作が行なわれた場合に、信号処理回路６２から受信した信号を撮影画像として記憶するようになっている。
【００３６】
ＣＰＵ５６は、撮像方向検出手段５４及び信号処理回路６２から受信した信号に基づいて、駆動回路６６に信号を出力してモーター４２，４４を駆動させ、ズームレンズ３６及びフォーカスレンズ３８のそれぞれの位置を、以下のように調節するようになっている。
【００３７】
すなわち、ＣＰＵ５６は、撮像方向検出手段５４からの信号に基づいて、図１に示すように、撮像手段３２の撮像方向が表示手段２２の表示方向と略同一方向（図１中、矢印Ｃの方向）に向けられたか、又は表示方向と略反対方向（図１中、矢印Ｅの方向）に向けられたかを判断するようになっている。
【００３８】
そして、撮像方向が表示手段２２の表示方向と略同一方向である場合には、図２に示すように、ＣＰＵ５６は、先ずズームレンズ３６を近距離撮影用位置まで移動させる。そして、フォーカスレンズ３８を、撮影距離が１ｍであるときに対応して焦点を調節したときの位置である第１の所定位置まで移動させた後に、この第１の所定位置から至近の撮影距離に対応する撮像素子４０側の終端に向けて移動を開始させ、焦点の調節を行なうようになっている。
【００３９】
フォーカスレンズ３８が至近の撮影距離に対応する撮像素子４０側の終端に向けて移動している間、ＣＰＵ５６は、信号処理回路６２から受信する信号に基づいて、焦点を合わせることができたかどうかの判断を継続して行ない、焦点の調節が完了するまでフォーカスレンズ３８を移動させ続けるようになっている。
【００４０】
ここで、フォーカスレンズ３８についての第１の所定位置を、撮影距離が１ｍであるときに対応して焦点を調節したときの位置としたのは、ユーザーが自分自身を撮影する場合に、被写体であるユーザーの顔までの撮影距離は、撮像機能付き携帯電話機２０を保持する腕の長さに相当し、この長さが１ｍ程度になるためである。
【００４１】
また、撮像方向が表示手段２２の表示方向と略反対方向である場合には、ＣＰＵ５６は、先ずズームレンズ３６を遠距離撮影用位置まで移動させる。そして、フォーカスレンズ３８を、撮影距離が２ｍであるときに対応して焦点を調節したときの位置である第２の所定位置まで移動させた後に、この第２の所定位置から無限遠の撮影距離に対応するズームレンズ３６側の終端に向けて移動を開始させ、焦点の調節を行なうようになっている。
【００４２】
フォーカスレンズ３８が無限遠の撮影距離に対応するズームレンズ３６側の終端に向けて移動している間、ＣＰＵ５６は、信号処理回路６２から受信する信号に基づいて、焦点を合わせることができたかどうかの判断を継続して行ない、焦点の調節が完了するまでフォーカスレンズ３８を移動させ続けるようになっている。
【００４３】
そして、焦点が合わずに、フォーカスレンズ３８が、無限遠の撮影距離に対応するズームレンズ３６側の終端まで移動し終わった場合には、直ちにフォーカスレンズ３８を、第２の所定位置まで戻し、今度は至近の撮影距離に対応する撮像素子４０側の終端に向けて移動を開始させ、焦点の調節を行なうようになっている。
【００４４】
ここで、フォーカスレンズ３８についての第２の所定位置を、撮影距離が２ｍであるときに対応して焦点を調節したときの位置としたのは、ユーザーが自分自身以外の被写体や景色等を撮影する場合に、撮影距離が２ｍ程度になることが多いためである。
【００４５】
このような本実施の形態に係る撮像機能付き携帯電話機２０によれば、撮像手段３２の撮像方向が、近距離撮影に適した表示手段２２の表示方向と略同一方向に向けられた場合と、遠距離撮影に適した表示手段２２の表示方向と略反対方向に向けられた場合とで、フォーカスレンズ３８が、焦点の合う可能性の低い範囲について調節のための移動を行なわないようになっているため、又はその範囲についての移動動作を後回しにするようになっているため、自動焦点機能の焦点調整に要する時間を短くすることができる。
【００４６】
また、撮像手段３２の撮像方向が、近距離撮影に適した表示手段２２の表示方向と略同一方向に向けられた場合と、遠距離撮影に適した表示手段２２の表示方向と略反対方向に向けられた場合とで、ズームレンズ３６を近距離撮影用位置又は遠距離撮影用位置に移動するようにしたことにより、撮像方向を切換えると、直ちに撮像素子４０に取込まれる画像を適切な倍率にすることができる。
【００４７】
なお、本実施の形態では、撮像手段３２の撮像方向を切換えると、これに対応してズームレンズ３６の移動によるズーム機能が動作するようになっているが、このズーム機能は、撮像手段３２の撮像方向を切換えたときに動作しないようになっていてもよい。
【００４８】
また、撮像手段３２の撮像方向を切換えたことにより、ズームレンズ３６が近距離撮影用位置又は遠距離撮影用位置に移動した後は、操作手段２６等によるユーザーの操作により、ズームレンズ３６を移動させて、ズーム倍率を調節することができるようになっていてもよい。
【００４９】
また、ズームレンズ３６は、近距離撮影用位置又は遠距離撮影用位置のいずれかの位置にのみ停止することができるようになっていて、この近距離用撮影位置と遠距離用撮影位置の中間の位置で停止しないようになっていてもよい。このようにした場合には、撮像方向を切換えた後は、近距離撮影又は遠距離撮影のそれぞれに対応して、常に同一のズーム倍率で撮影することができるようになる。
【００５０】
また、本実施の形態では、撮像手段３２の撮像方向を表示手段２２の表示方向と略同一方向にした場合に、フォーカスレンズ３８が、最初に第１の所定位置に移動した後に、この第１の所定位置から撮像素子４０側の終端に向けて移動を開始して、焦点の調節を行なうようになっていたが、フォーカスレンズ３８が、最初に撮像素子４０側の終端に移動した後に、この撮像素子４０側の終端から第１の所定位置に向けて移動を開始するようになっていてもよい。
【００５１】
また、本実施の形態では、撮像手段３２の撮像方向を表示手段２２の表示方向と略反対方向にした場合に、フォーカスレンズ３８が、最初に第２の所定位置に移動した後に、この第２の所定位置からズームレンズ３６側の終端に向けて移動を開始して、焦点の調節を行なうようになっていたが、フォーカスレンズ３８が、最初にズームレンズ３６側の終端に移動した後に、このズームレンズ３６側の終端から第２の所定位置に向けて移動を開始するようになっていてもよい。
【００５２】
また、本実施の形態では、フォーカスレンズ３８についての第１の所定位置が、撮影距離が１ｍであるときに対応して焦点を調節したときの位置となるようにしたが、１ｍ以外の撮影距離に対応して第１の所定位置を定めてもよい。また、同様に、第２の所定位置についても、２ｍ以外の撮影距離に対応して定めるようにしてもよいことはいうまでもない。
【００５３】
また、本実施の形態における撮像機能付き携帯電話機２０の撮像方向検出手段５４は、第３筐体３０が回動することにより撮像手段３２の撮像方向が、表示手段２２の表示方向と略同一方向、又は略反対方向に向けられたときに、これを検出するようになっていたが、第３筐体３０の回動量等を検出して、この回動量に基づいて撮像方向を算出するようになっていてもよい。
【００５４】
また、本実施の形態では、本発明を撮像機能付き携帯電話機２０について適用した場合について説明したが、同様の技術的思想に基づいて、他の種類の撮像機能付き携帯端末装置についても本発明を適用することができる。ここで、このような本発明を適用することができる他の種類の撮像機能付き携帯端末装置には、デジタルスチルカメラのような専用機としての撮像装置も含まれていることはいうまでもない。
【図面の簡単な説明】
【００５５】
【図１】本発明の一実施の形態に係る撮像機能付き携帯電話機２０を示す斜視図である。
【図２】本発明の一実施の形態に係る撮像機能付き携帯電話機２０の構成を示す図である。
【図３】従来の撮像機能付き携帯端末装置２を示す斜視図である。
【符号の説明】
【００５６】
２  撮像機能付き携帯端末装置
４  撮像手段
６  筐体
８  装置本体
１０  表示手段
１２  切換ノブ
２０  撮像機能付き携帯電話機
２２  表示手段
２４  第１筐体
２４ａ  端部
２６  操作手段
２８  第２筐体
３０  第３筐体
３２  撮像手段
３４  固定レンズ
３６  ズームレンズ
３８  フォーカスレンズ
４０  撮像素子
４２，４４  モーター
４６  リードスクリュー
４６ａ  リードスクリュー軸受
４８  リードスクリュー
４８ａ  リードスクリュー軸受
５０ａ  至近側レンズ位置検出手段
５０ｂ  無限遠側レンズ位置検出手段
５２ａ  近距離撮影用位置検出手段
５２ｂ  遠距離撮影用位置検出手段
５３  レンズ位置検出回路
５４  ＣＰＵ
５６  撮像方向検出回路
５８  Ａ／Ｄ変換回路
６０  ＤＳＰ
６２  信号処理回路
６４  メモリ
６６  駆動回路
【図１】
2005215480.tif 000003
【図２】
2005215480.tif 000004
【図３】
2005215480.tif 000005